(57)【要約】【課題】洗い場となる部分にのみ床パンを設置する床ハーフ方式において、天井裏に設置した機器からのドレンを排水路を通して床パンの排水口に流すにあたり、排水路の下流端の排水口部材が洗い場側から見えないようにする浴室ユニットの排水構造を提供する。【解決手段】洗い場１１に床パン２を設置すると共に浴槽設置部１２に浴槽３を設置し、浴槽３の床パン２側のフランジ部３１と床パン２の浴槽３側の端部２１との間に主エプロン４１を配置し、床パン２及び浴槽３の外周辺から浴室壁５を立設して上端部に浴室天井６を取り付けて浴室ユニット１を構成する。浴室ユニット１外に設けた装置７からの排水路８の下流端８１を主エプロン４１に形成した挿通孔４１ａに挿通して洗い場１１側に臨むように保持し、浴槽３のフランジ部３１の前記主エプロン４１よりも洗い場１１側の部分に該主エプロン４１よりも洗い場１１側に位置する化粧エプロン４２を設けた。【選択図】        図１
2009172311.tif 000002
【特許請求の範囲】
【請求項１】
浴室の洗い場となる部分にのみ床パンを設置し、洗い場に隣接する浴槽設置部に浴槽を設置し、浴槽の床パン側のフランジ部と床パンの浴槽側の端部との間に主エプロンを配置し、床パン及び浴槽の外周辺から浴室壁を立設し、浴室壁の上端部に浴室天井を取り付けて浴室ユニットを構成し、浴室ユニット外に設けた装置からの排水路の下流端を主エプロンに形成した挿通孔に挿通して洗い場側に臨むように保持し、浴槽のフランジ部の前記主エプロンよりも洗い場側の部分に該主エプロンよりも洗い場側に位置する化粧エプロンを設けて成ることを特徴とする浴室ユニットの排水構造。
【請求項２】
浴室ユニット外に設けた装置が浴室内にミストを発生させるミスト発生装置であることを特徴とする請求項１記載の浴室ユニットの排水構造。
【請求項３】
排水路の下流端を挿通して保持するため主エプロンに形成する挿通孔を、床パンの浴槽側の端部に形成した排水口の近傍で且つ上方に設けて成ることを特徴とする請求項１又は２記載の浴室ユニットの排水構造。
【請求項４】
排水路の下流端を挿通して保持するため主エプロンに形成する挿通孔を、床パンの浴槽側の端部に形成した排水口から水平方向に離して設けると共に、排水路の下流端に、排水口の上方に至る導水管を設けて成ることを特徴とする請求項１乃至３のいずれか一項に記載の浴室ユニットの排水構造。
【発明の詳細な説明】
【技術分野】
【０００１】
本発明は、洗い場となる部分にのみ床パンを設置する床ハーフ方式の浴室ユニットの排水構造に関するものである。
【背景技術】
【０００２】
従来より、床ハーフ方式の浴室ユニットが知られている（例えば特許文献１参照）。これは、図４に示すように、浴室の床面の洗い場１１となる部分にのみ床パン２を設置すると共に、洗い場１１に隣接する浴槽設置部１２となる部分に浴槽３を設置し、浴槽３のフランジ部３１の洗い場１１側の端部と、床パン２の浴槽３側の端部２１との間にエプロン４を配置し、床パン２の三辺（浴槽３側の辺を除く外周辺）の外端部及び浴槽３の三辺（洗い場１１側の辺を除く外周辺）の外端部に浴室壁となる壁パネル及びドア枠（図示せず）を立設し、壁パネル及びドア枠の上端部に浴室天井となる天井パネル（図示せず）を載置固定して浴室ユニットを構成するものである。
【０００３】
このような浴室ユニットにおいて、例えば浴室内でミストサウナを行うためのミスト発生装置といったようなドレンが発生する装置（例えば特許文献２参照）を設ける場合、天井裏等に前記装置を設けると共に、装置からのドレンを排水する排水路を設ける必要がある。これにあたっては、装置に接続した排水路を天井裏を這わせて外側方へ伸ばすと共に壁パネルの外側を下方に伸ばして、排水路の下流端を排水口に接続したり排水口の近傍に配置して、ドレンを排水口に流す必要があるものである。
【特許文献１】特開２０００−５０９０号公報
【特許文献２】特開２００３−６５５５４号公報
【発明の開示】
【発明が解決しようとする課題】
【０００４】
上記床ハーフ方式の浴室ユニットの場合、浴槽設置部１２に床パン２を設置しておらず、床ハーフ方式でない通常の床パンを設けたもののように、床パンの浴槽を設置した部分に形成される浴槽用排水口に排水路の下流端からドレンを排水することができないため、洗い場１１に形成される排水口２０に排水することになる。
【０００５】
しかしながら、この場合、排水路をエプロン４に形成した貫通孔４０を挿通させて排水路の下流端を洗い場１１側に臨ませたり、あるいは浴室壁に形成した貫通孔を挿通させて排水路の下流端を洗い場１１側に臨ませたりすることとなり、洗い場１１側からエプロンや浴室壁を貫通して洗い場１１側に臨む排水路の下流端や貫通孔４０が見えて、見栄えが悪く外観を損ねてしまう、という問題が生じるものであった。
【０００６】
本発明は上記従来の問題点に鑑みて発明したものであって、その目的とするところは、洗い場となる部分にのみ床パンを設置する床ハーフ方式の浴室ユニットにおいて、天井裏等の浴室ユニット外に設置した装置からのドレンを排水路を介して床パンの排水口に流すにあたり、排水路の下流端が洗い場側から見えないようにする浴室ユニットの排水構造を提供することを課題とするものである。
【課題を解決するための手段】
【０００７】
上記課題を解決するために請求項１に係る発明にあっては、浴室の洗い場１１となる部分にのみ床パン２を設置し、洗い場１１に隣接する浴槽設置部１２に浴槽３を設置し、浴槽３の床パン２側のフランジ部３１と床パン２の浴槽３側の端部２１との間に主エプロン４１を配置し、床パン２及び浴槽３の外周辺から浴室壁５を立設し、浴室壁５の上端部に浴室天井６を取り付けて浴室ユニット１を構成し、浴室ユニット１外に設けた装置７からの排水路８の下流端８１を主エプロン４１に形成した挿通孔４１ａに挿通して洗い場１１側に臨むように保持し、浴槽３のフランジ部３１の前記主エプロン４１よりも洗い場１１側の部分に該主エプロン４１よりも洗い場１１側に位置する化粧エプロン４２を設けて成ることを特徴とするものである。
【０００８】
このように、いわゆる床ハーフ方式の浴室ユニット１外に設けた装置７からの排水路８の下流端８１を主エプロン４１に保持させ、主エプロン４１の洗い場１１側に化粧エプロン４２を設けたことで、化粧エプロン４２によって主エプロン４１に保持された排水路８の下流端８１を洗い場１１から見えなくすることが可能となる。
【０００９】
また、請求項２に係る発明は、請求項１に係る発明において、浴室ユニット１外に設けた装置７が浴室内にミストを発生させるミスト発生装置７ａであることを特徴とするものである。
【００１０】
このように、いわゆる床ハーフ方式の浴室ユニット１にミスト発生装置７ａを設ける場合において、排水路８の下流端８１を主エプロン４１に保持させ、主エプロン４１の洗い場１１側に化粧エプロン４２を設けたことで、化粧エプロン４２によって主エプロン４１に保持された排水路８の下流端８１を洗い場１１から見えなくすることが可能となる。
【００１１】
また、請求項３に係る発明は、請求項１又は２に係る発明において、排水路８の下流端８１を挿通して保持するため主エプロン４１に形成する挿通孔４１ａを、床パン２の浴槽３側の端部２１に形成した排水口２０の近傍で且つ上方に設けて成ることを特徴とするものである。
【００１２】
このような構成とすることで、排水路８の下流端８１から排水されたドレンが、下流端８１の下方に流下してそのまま排水口２０に流入されて、床パン２上をドレンが流れるのが見えて見栄えが悪くなるのを防止することができる。
【００１３】
また、請求項４に係る発明は、請求項１乃至３のいずれか一項に係る発明において、排水路８の下流端８１を挿通して保持するため主エプロン４１に形成する挿通孔４１ａを、床パン２の浴槽３側の端部２１に形成した排水口２０から水平方向に離して設けると共に、排水路８の下流端８１に、排水口２０の上方に至る導水管８３を設けて成ることを特徴とするものである。
【００１４】
このような構成とすることで、排水路８の下流端８１から排水されたドレンが、導水管８３により排水口２０に導かれれて、床パン２上をドレンが流れるのが見えて見栄えが悪くなるのを防止することができる。
【発明の効果】
【００１５】
本発明にあっては、化粧エプロンによって主エプロンに保持された排水路の下流端を洗い場から見えなくすることが可能となって、洗い場から見た外観を損ねて見栄えが悪くなるのを防止することができる。
【発明を実施するための最良の形態】
【００１６】
本発明においては浴室を床ハーフ方式の浴室ユニットにて構成するもので、図２に示すように、床パン２と、浴槽３と、浴槽３と床パン２との間に設けるエプロン（主エプロン４１及び化粧エプロン４２）、浴室壁５と、浴室天井６とで浴室ユニット１の主体を構成している。更に詳述すると、建物躯体の浴室スペースの洗い場１１となる床面に床パン２を設置し、浴室スペースの床面において洗い場１１に隣接し浴槽３が設置される浴槽設置部１２に支持枠１３を配置し、支持枠１３に浴槽３を載設して支持させ、浴槽３のフランジ部３１と床パン２の浴槽３側の端部２１との間に主エプロン４１を設ける。支持枠１３や床パン２の下面部には高さ調整機能を備えた脚部１５が設けてあり、更に、支持枠１３の上面部の隅部（図においては四隅部）に支柱１４が立設してある。
【００１７】
そして、洗い場１１となる部分においては、設置した床パン２の周縁部（但し、浴槽３と隣接する端縁は除く）から上方に壁パネル５１を立設し、浴槽３が設置される部分においては、設置した浴槽３の上端部のフランジ部３１の周縁部（但し、洗い場１１と隣接する端縁は除く）から上方に壁パネル５１を立設し、また必要に応じて浴室壁５の替わりにドア枠（図示せず）を立設して、壁パネル５１又は、壁パネル５１及びドア枠からなる浴室壁５を構成している。そして、浴室壁５の上端部に天井パネル６１を載置固定して浴室天井６を構成している。
【００１８】
また、床パン２の主エプロン４１のすぐ内側の部分（すなわち床パン２の洗い場１１の浴槽３側の端部２１）には、床パン２上の湯水を排水する排水口２０が形成してある。主エプロン４１は後で詳述するが、床パン２の洗い場１１から浴槽設置部１２へと浴水が進入するのを防止するものである。
【００１９】
このような浴室ユニット１には、ミストサウナを行うためのミスト発生装置７や、浴室の暖房、乾燥を行う暖房換気乾燥装置７や、これらの機能を併せ持つミストサウナ機能付浴室暖房換気乾燥装置７等のドレンが発生する装置７が適宜設けられるもので、本実施形態では、ミスト発生装置７ａが設けてある。ミスト発生装置７ａについては一般に普及しているもので、特に限定はされないが、天井裏に装置本体７０を設置するものである。
【００２０】
装置本体７０について説明すると、図示はしないが、装置本体７０には浴室ユニット１外に設置した給湯機能付き熱源機からの温水経路が接続されると共に、水道に接続される給水管と、余剰水を排水する排水部とが設けられる。装置本体７０には、浴室ユニット１内の空気を吸入すると共に再び吐出する循環路が形成してあり、この循環路内に、前記熱源機から温水経路を介して供給される温水にて循環路内を流れる空気を加熱する熱交換器が設置してある。また循環路は、循環路内を流れる空気を乾燥させる乾燥機能を備えると共に、循環路内に吸入した空気を外部に排気する排気手段を備えている。
【００２１】
また装置本体７０には、給水管を介して供給される温水をミストノズルに導くミスト配管が設けてあり、このミスト配管の途中に、前記熱源機から温水経路を介して供給される温水にてミスト配管を流れる水を加熱する熱交換器が設置してある。ミストノズルは、浴室ユニット１内に向けて温水をミストとして吐出するものである。
【００２２】
そして、装置本体７０から浴室ユニット１内に暖気を吐出して暖房を行なったり、あるいは浴室ユニット１内の空気を排出して浴室ユニット１外に排気することで換気を行ったり、あるいは浴室ユニット１内の空気を吸入して除湿を行うと共に再び浴室ユニット１内に吐出して乾燥を行ったり、あるいは、浴室ユニット１内にミストを吐出してミストサウナを行なったりすることができる。
【００２３】
装置本体７０の排水部には、排水路８の上流部が接続される。排水路８は、天井裏を這わせて外側方へ伸ばすと共に浴室壁５の外側を下方に伸ばして、主エプロン４１の外側（すなわち洗い場１１から見て外側であって、浴槽設置部１２側）で且つ浴槽３のフランジ部３１の下側の空間Ｓを通って、後述するように下流端８１が主エプロン４１に挿通される。排水路８は、本実施形態では合成樹脂をはじめとする可撓性を有する管からなり、その下流端８１には変形しない又は変形し難い材質からなる略筒状をした排水口部材８２が取り付けてある。
【００２４】
エプロンは、図１に示すように、本発明においては二重構造となっており、洗い場１１側から見て外側（すなわち浴槽設置部１２側）の主エプロン４１の内側に、化粧エプロン４２が配置される。
【００２５】
主エプロン４１は、上端部を浴槽３の洗い場１１側のフランジ部３１の下面に取り付けると共に、下端部を床パン２の浴槽３側の端部２１に取り付けることで、洗い場１１から浴槽設置部１２へ至る連通口を閉塞し、床パン２の洗い場１１から浴槽設置部１２へと浴水が進入するのを防止している。主エプロン４１の上端部のフランジ部３１への取り付け及び下端部の床パン２への取り付けは、ビス止めによるものであったり、あるいは主エプロン４１の上下端部に係合部を設けると共にフランジ部３１と床パン２とに被係合部を設けて、けんどん式等により係合するものであってもよく、特に限定されない。
【００２６】
主エプロン４１には、排水路８の下流端８１を挿通して固定するもので、本実施形態では主エプロン４１に挿通孔４１ａが形成してあって、排水路８の下流端８１の排水口部材８２を主エプロン４１の外側から前記挿通孔４１ａに挿通して、排水口部材８２の排水部分が主エプロン４１の内側に臨むように保持させる。保持するにあたっては、図示しないが、係合部及び被係合部を設けて係合したり、ビス止めしたり、無理嵌め等様々な固定方法が考えられ、特に限定されない。
【００２７】
化粧エプロン４２は、上端部を浴槽３の洗い場１１側のフランジ部３１の下面の主エプロン４１の上端部を取り付けた部分よりも内側（洗い場１１側）の部分に取り付けると共に、下端部を床パン２の床面近傍に配置して、主エプロン４１の内側に位置させることで、洗い場１１から主エプロン４１が見えないように隠している。化粧エプロン４２の上端部は、フランジ部３１にビス止めや係合により取り付けて吊下げたり、あるいは上端部を前記のように取り付けると共に下端部を床パン２にビス止めや係合により取り付けてもよく、特に限定されない。
【００２８】
このように、排水路８の下流端８１（本実施形態では排水口部材８２）を主エプロン４１の外側から内側の洗い場１１に臨むように保持させ、主エプロン４１の洗い場１１側に化粧エプロン４２を設けたことで、化粧エプロン４２によって主エプロン４１に保持された排水路８の下流端８１が洗い場１１から見えなくなり、外観を損ねて見栄えが悪くなるのを防止するものである。
【００２９】
上述したように、床パン２の洗い場１１の浴槽３側の端部２１には排水口２０が形成してあるが、本実施形態では、排水路８の下流端８１を挿通して保持するため主エプロン４１に形成する挿通孔４１ａを、前記床パン２の排水口２０の近傍で且つ上方に設けてある。これにより、排水路８の下流端８１から排水されたドレンが、下流端８１の下方に流下してそのまま排水口２０に流入することとなり、下流端８１の下方の床パン２上面に流下した後で排水口２０に向けて流れるのが見えて見栄えが悪くなるといったことを防止することができる。
【００３０】
また、図３に示すように、排水路８の下流端８１を挿通して保持するため主エプロン４１に形成する挿通孔４１ａを、床パン２の浴槽３側の端部２１に形成した排水口２０から水平方向に離して設ける場合には、排水路８の下流端８１すなわち排水口部材８２に、床パン２の排水口２０又は排水口２０の上方に至る導水管８３を設ける。導水管８３は、化粧エプロン４２により洗い場１１側からは見えない。これにより、排水路８の下流端８１から排水されたドレンが、導水管８３により排水口２０に導かれることとなり、下流端８１の下方の床パン２上面に流下した後で排水口２０に向けて流れるのが見えて見栄えが悪くなるといったことを防止することができる。
【図面の簡単な説明】
【００３１】
【図１】本発明の一実施形態の要部断面図である。
【図２】同上の全体の分解斜視図である。
【図３】他の実施形態の要部断面図である。
【図４】従来例の斜視図である。
【符号の説明】
【００３２】
１    浴室ユニット
１１  洗い場
１２  浴槽設置部
２    床パン
３    浴槽
３１  フランジ部
４１  主エプロン
４１ａ  挿通孔
４２  化粧エプロン
５    浴室壁
６    浴室天井
７    装置
８    排水路
８１  下流端
【図１】
2009172311.tif 000003
【図２】
2009172311.tif 000004
【図３】
2009172311.tif 000005
【図４】
2009172311.tif 000006